(57)【特許請求の範囲】
【請求項１】
壁体に取り付けるコンクリート製の脚部ブロックであって、
前記壁体から突き出た棒状のアンカー部材を入れ、流動性のコンクリートで充填する溝部を有し、
前記溝部は、前記アンカー部材の引抜方向に抵抗となる形状の部分と、
下側から前記アンカー部材を入れる下側開口部と、
上側から前記流動性のコンクリートを注入する上側開口部とを含み、
前記抵抗となる形状の部分は、下側に対して上側が狭い第１の部分、前記壁体の側が反対側に対して狭い第２の部分および括れた第３の部分の少なくともいずれかを含む、脚部ブロック。
【請求項２】
請求項１において、
前記抵抗となる形状の部分は、前記第１の部分を含む、脚部ブロック。
【請求項３】
請求項１または２において、
前記抵抗となる形状の部分は、前記第２の部分を含む、脚部ブロック。
【請求項４】
請求項１ないし３のいずれかにおいて、
前記抵抗となる形状の部分は、前記第３の部分を含む、脚部ブロック。
【請求項５】
請求項１ないし４のいずれかにおいて、
前記溝部の前記壁体の側の上部を覆う部分を有する、脚部ブロック。
【請求項６】
請求項１ないし５のいずれかにおいて、
平板部と、
前記平板部から立ち上がったリブ部であって、前記壁体から前記平板部の先端に向かって延びたリブ部とを有し、
前記溝部は、前記リブ部に形成されている、脚部ブロック。
【請求項７】
請求項１ないし６のいずれかに記載の脚部ブロックと、
コンクリート製の本体ブロックとを有し、
前記本体ブロックの壁体の外面に前記アンカー部材を挿入するインサートが埋設されている擁壁用ブロックセット。
【請求項８】
請求項１ないし６のいずれかに記載の脚部ブロックと、
コンクリート製の本体ブロックとを有し、
前記本体ブロックの壁体の外面に取り付けられた前記アンカー部材が前記脚部ブロックの前記溝部に流動性のコンクリートにより埋設されている擁壁。
【請求項９】
請求項１ないし６のいずれかに記載の脚部ブロックと、
側溝を形成するコンクリート製の本体ブロックとを有し、
前記壁体は側溝を構成する側壁の一部であり、
前記本体ブロックの壁体の外面に前記アンカー部材を挿入するインサートが埋設されている側溝用ブロックセット。
【請求項１０】
請求項１ないし６のいずれかに記載の脚部ブロックと、
側溝を形成するコンクリート製の本体ブロックとを有し、
前記壁体は側溝を構成する側壁の一部であり、
前記本体ブロックの側壁の外面に取り付けられた前記アンカー部材が前記脚部ブロックの前記溝部に流動性のコンクリートにより埋設されている側溝。
【請求項１１】
請求項１ないし６のいずれかに記載の脚部ブロックと、
コンクリート製の本体ブロックとを用いて擁壁を施工する方法であって、
前記本体ブロックの壁体の外面に取り付けられた前記アンカー部材が前記下側開口部から前記溝部に入るように、前記本体ブロックに対し前記脚部ブロックを配置することと、
前記上側開口部から前記溝部に流動性のコンクリートを注入して前記溝部に前記アンカー部材を埋設することとを有する方法。
【請求項１２】
請求項１ないし６のいずれかに記載の脚部ブロックと、
側溝を形成するコンクリート製の本体ブロックとを用いて側溝を施工する方法であって、
前記壁体は側溝を構成する側壁の一部であり、
前記本体ブロックの壁体の外面に取り付けられた前記アンカー部材が前記下側開口部から前記溝部に入るように、前記本体ブロックに対し前記脚部ブロックを配置することと、
前記上側開口部から前記溝部に流動性のコンクリートを注入して前記溝部に前記アンカー部材を埋設することとを有する方法。
【発明の詳細な説明】
【技術分野】
【０００１】
本発明は、土留めの機能を備えた側溝を施工するのに適した組立用基礎ブロックおよび側溝に関するものである。
【背景技術】
【０００２】
特許文献１には、地面に段差がある位置の側溝で、保管時の省スペース化、組立容易で施工効率化を図り、埋設したブロックを安定保持する技術が開示されている。特許文献１では、液路を形成する側板を天板で連結した本体ブロックに、接合板で脚部枠ブロックを連結して側溝用ブロックを構成する。本体ブロックは天板の肉厚内に貫通孔を穿設して、長いボルトを挿通密封して隣接する本体ブロックを連結する。脚部枠ブロックは、接合板を設けた連結片、支持片、仕切片等からなる枠状で、開口部を有する。支持片の連通溝、仕切片の連通孔は、吊下げ時のロープの係止、開口部からの水抜き孔として機能する。基礎コンクリート上に側溝用ブロックを載せ、開口部内、側板の外側を埋め戻して、側溝を構築する。
【先行技術文献】
【特許文献】
【０００３】
【特許文献１】特開２００３−４１６４７号公報
【発明の概要】
【発明が解決しようとする課題】
【０００４】
特許文献１においては、本体ブロックと脚部枠ブロックとをボルトで連結する。この際、本体ブロックに設けられたねじ穴と接合板の穴とを位置合わせしてボルトを通すために時間を要する。たとえば、前後左右に本体ブロックと脚部枠ブロックとをバールで位置調整するため時間がかかる。
【課題を解決するための手段】
【０００５】
本発明の一態様は、壁体に取り付けるコンクリート製の脚部ブロックである。脚部ブロックは、壁体から突き出た棒状のアンカー部材を入れ、流動性のコンクリート（モルタル）で充填する溝部を有し、溝部は、アンカー部材の引抜方向に抵抗となる形状の部分と、下側からアンカー部材を入れる下側開口部と、上側から流動性のコンクリートを注入する上側開口部とを含む。この脚部ブロックを用いて土留めとしての機能を備えた擁壁を施工できる。擁壁は側溝としての機能を備えていてもよく、壁体は側溝を構成する側壁の一部であってもよい。
【０００６】
上記の脚部ブロックと、本体ブロックとを用いて擁壁を施工する方法は、本体ブロックの壁体の外面に取り付けられたアンカー部材が下側開口部から溝部に入るように、本体ブロックに対し脚部ブロックを配置することと、上側開口部から溝に流動性のコンクリート（モルタル）を注入して溝部にアンカー部材を埋設することとを有する。擁壁は側溝であってもよい。この方法においては、本体ブロックの壁体にアンカー部材を取りつけ、そのアンカー部材が溝部に下側開口を介して下から入るように本体ブロックに対して脚部ブロックを位置決めできる。すなわち、アンカー部材が溝部に入るように脚部ブロックを上から設置できる。したがって、本体ブロックに対し脚部ブロックを精度よく位置決めする必要はなく、短時間に擁壁または側溝を施工できる。
【０００７】
溝部は、アンカー部材の引抜方向に抵抗となる形状の部分を含むので、アンカー部材を溝部に流動性のコンクリート（モルタル）で埋設すると壁体と脚部ブロックとで強固な擁壁が形成される。このため、脚部ブロックには溝部を形成すればよい。したがって、接合板のような金物は不要となり、脚部ブロックを製造する型枠に金物をセットする必要がない。このため、脚部ブロックの製造コストを低減でき、製造時間も短縮できる。
【０００８】
溝部の抵抗となる形状の部分の１つは逆テーパの部分である。逆テーパの部分は、壁体が転倒する際にアンカー部材が引き抜かれる方向に抵抗になっていればよい。抵抗となる形状の部分の一例は、下側に対して上側が狭い部分である。抵抗となる形状の部分の他の一例は、壁体の側が反対側に対して狭い部分である。溝部の抵抗となる部分の他の形状の１つは括れた部分（ネック部分）である。これらの形状の溝部は、型枠または型枠に着脱する補助型枠を用いて形成できる。
【０００９】
溝部は、脚部ブロックの一部を切り欠くものであってもよく、溝部の壁体の側の上部を覆う部分を有するものであってもよい。脚部ブロックに一体となっている覆う部分が、溝部に埋設されるアンカー部材の転倒側に配置されるので、土留めとしての機能をさらに強化できる。
【００１０】
脚部ブロックは、平板部と、平板部から立ち上がったリブ部であって、壁体から平板部の先端に向かって延びたリブ部とを有していてもよい。溝部はリブ部に形成でき、溝部の上下方向のサイズを確保できアンカー部材との位置合わせが容易となる。さらに、アンカー部材とリブ部とにより転倒モーメントに抵抗でき、土留めとしての機能をさらに強化できる。
【００１１】
本発明の他の態様の１つは、上記の脚部ブロックと、コンクリート製の本体ブロックとを有し、本体ブロックの壁体の外面にアンカー部材を挿入するインサートが埋設されている擁壁用ブロックセット（擁壁用ブロック組み立てセット、擁壁用ブロック組み立て体）である。本発明の他の態様の１つは、上記の脚部ブロックと、コンクリート製の本体ブロックとを有し、本体ブロックの壁体の外面に取り付けられたアンカー部材が脚部ブロックの溝部に流動性のコンクリートにより埋設されている擁壁である。
【００１２】
本発明の他の態様の１つは、上記の脚部ブロックと、側溝を形成するコンクリート製の本体ブロックとを有し、壁体は側溝を構成する側壁の一部であり、本体ブロックの壁体の外面にアンカー部材を挿入するインサートが埋設されている側溝用ブロックセットである。本発明の他の態様の１つは、上記の脚部ブロックと、側溝を形成するコンクリート製の本体ブロックとを有し、壁体は側溝を構成する側壁の一部であり、本体ブロックの側壁の外面に取り付けられたアンカー部材が脚部ブロックの溝部に流動性のコンクリートにより埋設されている側溝である。
【図面の簡単な説明】
【００１３】
【図１】Ｌ型擁壁としての機能を備えた土留め用側溝を示す斜視図。
【図２】脚部ブロックを示す斜視図。
【図３】脚部ブロックの６面図であり、（ａ）は平面図、（ｂ）は底面図、（ｃ）は正面図、（ｄ）は背面図、（ｅ）は左側面図、（ｆ）はＦ−Ｆ断面図。
【図４】土留め用側溝を施工する様子を示す図面であり、側溝用の本体ブロックを設置する様子を示す図。
【図５】脚部ブロックを設置する様子を示す図。
【図６】本体ブロックと脚部ブロックとが組み立てられた状態を示す図。
【図７】土留め用側溝が施工された状態を示す図。
【図８】土留め用側溝が埋設された状態を示す図。
【図９】異なる脚部ブロックの溝部を拡大して示す斜視図。
【発明を実施するための形態】
【００１４】
図１に、土留めとしての機能を備えた擁壁１を示す。この擁壁１は、土留めとしての機能を備えた側溝２であり、Ｌ型擁壁３としての機能を果たす部分を含む。側溝２は、コンクリート製の本体ブロック１０と、本体ブロック１０に取り付けられたコンクリート製の脚部ブロック３０とを含む。本体ブロック１０は、門型側溝または自由勾配側溝と称されるタイプであり、雨水などの排水を流す空間１１を形成する両側の側壁１２と、両側の側壁１２を連結する上壁（天壁）１３とを含む。上壁１３は長方形であり長手方向の中央に開口１４を含み、施行時やメンテナンス時に流水用の空間１１に上側からアクセスできるようになっている。通常、開口１４は不図示の蓋（コンクリート製またはグレーチング製など）により塞がれている。本体ブロック１０は長さが１〜２ｍ程度であり、複数の本体ブロック１０を長手方向に接続することにより側溝２を施工する。
【００１５】
図１に示した側溝２は、Ｌ型擁壁３としての機能を備えており、そのため、一方の側壁１２が土留め用の壁体となり、側壁（壁体）１２の外面（表面、側面）の下端に水平方向に延びた脚部ブロック（底板）３０が取り付けられている。本体ブロック１０および脚部ブロック３０は、側溝２を施工するために掘削され、砕石などにより補強された部分９１に、基礎コンクリート９２を打設してさらに補強した上に設置される。その後、壁体となる側壁１２と脚部ブロック３０とが埋め戻され、側溝２は排水路と、土留めとしての機能を発揮する。
【００１６】
図２に、脚部ブロック３０を抜き出して示している。脚部ブロック３０は、全体が長方形のような長細い形状であり、Ｌ型擁壁の脚部として機能する平板部３１と、平板部３１を本体ブロック１０の側壁１２に取り付ける側（後ろ側）が側壁１２に沿って立ち上がった立ち上がり部（取り付け部、後端部）３２と、平板部３１の表面（上面）３１ｂから上側に立ち上がり、立ち上がり部３２から平板部３１の反対側（先端）３１ａに延びたリブ部３３とを含む。この脚部ブロック３０においては、２本のリブ部３３が長手方向に断続して設けられており、先端３１ａに向かって直線的に延びた前方の部分３３ａと、前方の部分３３ａと立ち上がり部３２とを接続するように三角形状に広がった後方の部分３３ｂとを含む。後方の部分３３ｂは、方形や台形などであってもよい。リブ部３３は、後方の部分３３ｂと前方の部分３３ａとが同じ形状、たとえば、方形、三角形、台形などであってもよい。
【００１７】
図３に、脚部ブロック３０を様々な方向から見た様子を示している。図３（ａ）は上側から見た平面図であり、図３（ｂ）は底面図であり、図３（ｃ）は先端側から見た正面図であり、図３（ｄ）は背面図であり、図３（ｅ）は左側面図であり、図３（ｆ）はリブ部３３の断面図である。右側面図は左側面図と対称に表れる。
【００１８】
脚部ブロック３０の各リブ部３３には、後方の立ち上がり部３２から前方３１ａに向かって延びた溝部５０が形成されている。溝部５０は、立ち上がり部３２に後方に開いた後部開口５３と、平板部３１の下側（裏面）３１ｃに開いた下側開口部（下側開口、下部開口）５１と、平板部３１の上側（表面）３１ｂに開いた上側開口部（上側開口、上部開口）５２とを含む。下側開口５１は、図３（ｂ）に示すように、立ち上がり部３２の後部開口５３から連続した開口であり、溝部５０は後方および下方に向かって開いた切り欠き部である。一方、溝部５０の上側は後方の立ち上がり部３２はコンクリートにより塞がれた部分（ブリッジ）５５となっており、その先端側が上側開口５２となり、リブ部３３の後方の部分３３ｂに表れている。
【００１９】
溝部５０の先端の側５６は、平面視が円形で、下側（平板部３１の裏面３１ｃ）に対して上側（平板部３１の表面３１ｂ）が狭く、溝部５０の内部に収納されるアンカーが転倒の際に抜ける方向（上方）に対し、逆テーパの部分（上下逆テーパ部）５６となっており、上下逆テーパ部５６が上側開口５２に繋がっている。溝部５０の後側５７は、平面視が台形状で、後ろ側から先端側、すなわち、接続する側壁（壁体）１２の側から平板部３１の先端３１ａに向かって狭まり、円錐台状の上下逆テーパ部５６に接続されている。
【００２０】
したがって、溝部５０を下側開口５１から見た形状は、先端の側５６が円形で、後側５７が先端側に細くなった方形であり、全体として後方前円となり、先端の側５６と後側５７との境界部分が狭く括れた部分５８となっている。この括れた部分５８は、溝部５０の内部に収納されるアンカーが転倒の際に引き抜かれる方向（後方）に対し抵抗となる形状である。このため、溝部５０はアンカーの引抜方向に対して抵抗となる形状として上下逆テーパ部５６および括れた部分５８を備えている。
【００２１】
溝部５０は、後方の部分５７を含めて全体が上下逆テーパとしてもよく、脚部ブロック３０を、型枠を用いて成形（製造）する際に、溝部５０のテーパ（上下逆テーパ）が抜き方向（脱型する方向）と一致すれば型枠を用いて形成できる。溝部５０のテーパが型枠の抜き方向と一致しなければ、補助型枠を用いて、溝部５０を成形できる。
【００２２】
図４ないし図８に、土留め機能を備えた側溝２を施工する様子を示している。図４に示すように、砕石などにより補強された地盤９２に基礎コンクリート９１を打設し、その上に、側溝となる空間１１を備えた本体ブロック１０を、クレーン８１などを用いて設置する。本体ブロック１０の側壁１２の下端にはアンカー部材（アンカー）２０を取り付けるためのインサート２５があらかじめ埋設されている。アンカー２０はエキスパンションタイプであってもよく、このタイプであればインサート２５が埋設されていない側壁１２に取り付けることも可能である。インサート２５は土留めとなる一方の側壁１２にあらかじめ埋設されていてもよく、両方の側壁１２に埋設されていてもよい。本例のアンカー２０は、引抜に対して抗力を発生させやすいようにねじ部２２と、先端が広がったヘッド２１とを含む。アンカー２０は、引抜に対して十分な抵抗力を発揮できるものであればよく、Ｌ字型に加工された鉄筋であってもよく、全ねじタイプであってもよい。
【００２３】
図５に、脚部ブロック３０を設置する様子を示している。本体ブロック１０の土留めを必要とする側、本例においては、右側の基礎コンクリート９１の上に、脚部ブロック３０を、クレーン８１などを用いて設置する。この際、本体ブロック１０の側壁（壁体）１２の外面１２ａに取り付けられたアンカー２０が溝部５０の下側開口５１から溝部５０に入るように、本体ブロック１０に対し脚部ブロック３０を配置する。溝部５０は、アンカー２０に対して幅が広く、先端部５６は下側が広くなるテーパ状（逆テーパ状）に形成されている。このため、アンカー２０が溝部５０に入るように脚部ブロック３０を配置することは容易である。また、アンカー２０は溝部５０の上側開口５２から見える長さに設定されており、上側開口５２からアンカー２０の位置を確認しながら脚部ブロック３０を設置することができる。たとえば、アンカー２０の径は１６ｍｍであり、溝部５０の下側の幅は４０ｍｍ程度であってもよい。
【００２４】
図６に、本体ブロック１０に対する所定の位置に脚部ブロック３０が配置された状態を示している。本体ブロック１０により側溝２が形成され、さらに、本体ブロック１０の一方の側壁１２を壁体とし、脚部ブロック３０との組み合わせでＬ型擁壁３が構成される。したがって、土留め機能を備えた側溝２を組み立てできる。
【００２５】
本体ブロック１０の内部には適当なタイミングでインバートコンクリート１９が打設され、水路１１の底部が形成される。図４ないし６に示すように、この側溝２およびＬ型擁壁３を施工する際は、本体ブロック１０と、本体ブロック１０とは別体で、アンカー２０を介して接続される脚部ブロック３０との組み合わせ（側溝用ブロックセット、側溝用ブロック組み立てセット、擁壁用ブロックセット、擁壁用ブロック組み立てセット）５が使用される。
【００２６】
本体ブロック１０と、脚部ブロック３０とを別々にクレーン８１などで吊りあげて設置できる。本体ブロック１０の一方の側壁１２に脚部ブロック３０が取り付けられたＬ型の状態であると重心が脚部ブロック３０の方向にシフトするので、吊り上げで移動することが難しくなる。また、地面に平行に降ろしたり、位置決めすることも難しくなる。これに対し、脚部ブロック３０を除いた本体ブロック１０は対称な形状なので吊り上げ下げが容易であり、側溝を施工する労力を低減でき、短時間で精度の高い側溝を施工できる。
【００２７】
また、脚部ブロック３０はアンカー２０が溝部５０に入るように設置するだけでよく、ボルトを通す孔を合わせたりする必要はない。本体ブロック１０に対する脚部ブロック３０の位置精度は、アンカー２０が溝部５０に収まる程度で擁壁としての機能を発揮できる。
【００２８】
図７に示すように、溝部５０の上側開口５２から流動性のコンクリート（モルタル）９を注入する。モルタル９により溝部５０にアンカー２０が埋設され、本体ブロック１０と脚部ブロック３０とが機械的に結合される。これによりＬ型擁壁３として機能を備えた土留め側溝２が施工される。
【００２９】
図８に示すように、側溝２のＬ型擁壁３の方向に土盛り９３をしたり、土を戻し入れることにより側溝２を土留めとして利用した地盤（区画）を施工できる。土盛り９３による土圧は、図８において、Ｌ型擁壁３の反時計方向の転倒モーメントとして作用する。したがって、アンカー２０には、上側および左側（脚部ブロック３０の後ろ側）に引き抜く力が働く。脚部ブロック３０の溝部５０は、上側が狭い逆テーパ（上下逆テーパ部）５６と、括れた部分（ネック）５８とを備えており、モルタル９が溝部５０に注入されてアンカー２０が溝部５０に埋設されていることにより、モルタル９が破壊されるなどの状況が発生しないかぎりアンカー２０は溝部５０から引き抜かれない。さらに、本例の脚部ブロック３０は、溝部５０の上側を覆うブリッジ部５５を備えている。したがって、さらにアンカー２０の上側への移動にはさらに強固に対抗できる。このため、土圧に対して十分な強度を備えたＬ型擁壁３および土留め側溝２を施工できる。
【００３０】
図９に、異なる脚部ブロック３０の例を示している。この脚部ブロック３０は溝部５０の上側全体が上側開口５２となっており、上側開口５２を介してアンカー２０を視認しやすい。したがって本体ブロック１０に対して脚部ブロック３０の位置合わせがさらに容易となる。溝部５０の上側を覆うブリッジ部５５が設けられていないが、溝部５０が全体として上下逆テーパ部５６となっており、さらに、溝部５０の全体が左右逆テーパ部５９となっている。すなわち、溝部５０は、側壁１２に繋がる後方が先方に対して狭い逆テーパの部分（左右逆テーパ部）５９となっており、アンカー２０の引抜方向（後方）に対して逆テーパとなるのでこの溝部５０に打設されたモルタル９は引き抜かれない。したがって、この溝部５０にアンカー２０を設置してモルタル９で埋設することにより、アンカー２０の引抜に対する耐力は十分に確保でき、強度の高いＬ型擁壁３および土留め側溝２を施工できる。
【００３１】
以上に説明したように、この側溝２においては、本体ブロック１０の側壁１２のインサート２５にアンカー２０となるボルトを取り付け、アンカー２０を土留めとなる脚部ブロック３０の溝部５０の切欠き部分に差し込むことで側溝２を組み立てできる。さらに、溝部５０にコンクリート（モルタル）９を打設することにより、本体ブロック１０と脚部ブロック３０とを一体化できる。
【００３２】
特許文献１に示したような従来品はボルトで本体ブロックと脚部ブロックとを連結する必要があり、その際に、インサート穴と脚部ブロックのフランジ金物とを合わせることが難しい。たとえば、直径１６ｍｍのボルトに対して、フランジ金物の穴は直径１８ｍｍと小さく、上下１ｍｍの単位の精度で位置合わせする必要がある。このため、たとえば、脚部ブロックを前後左右上下にバールで調整するために施工時聞がかかるという問題があった。
【００３３】
また、脚部ブロック側にはボルトで本体ブロックと固定するためにボルトを通して止めるためのフランジ金物を埋設しておく必要があった。このフランジ金物はコンクリート製品としては高価な部品であり、さらに、脚部ブロックを成形する型枠にフランジ金物をセッ卜するために手間がかかるという問題もあった。
【００３４】
上記に開示した溝部５０を備えた脚部ブロック３０は、これらの問題を解決できるものである。すなわち、フランジ金物をなくし、現場で位置合わせを簡単にして、側溝およびＬ型擁壁の施工を早くすることができる。
【００３５】
脚部ブロック３０においては、アンカー２０をモルタル９で埋設する溝部５０を設け、モルタル９を充填する溝部５０の構造をアンカー２０の引抜方向に抵抗となる形状とすることで、フランジ金物を使わなくてもアンカー２０となるボルトが抜けることがないようにできる。引抜方向に抵抗となる形状の一例は、上下逆テーパ、左右逆テーパ、括れた形などである。側溝２が土圧により水平方向に押される力には括れた形状５８や、左右のテーパ（左右逆テーパ部）５９が有効に作用する。側溝２が土圧により転倒しようとする力に対しては上下の逆テーパ（上下逆テーパ部）５６が有効に作用する。さらに、溝部５０の上側開口部分５２の一部に梁（ブリッジ部）５５を設けることで、さらに転倒に対する抵抗が得られる。
【００３６】
また、溝部５０を、脚部ブロック３０を補強するリブ部３３に設けることにより脚部ブロック３０と本体ブロック１０との結合強度を向上できる。同時に、溝部５０の高さおよび幅をリブ部３３のサイズの中で設定することができ、より開口面積の大きな溝部５０を脚部ブロック３０に設けることができる。
【００３７】
溝部５０の下側開口５１の幅が４０ｍｍ程度あれば、アンカー２０に対して脚部ブロック３０が左右上下に多少ずれていても本体ブロック１０にセットすることができる。このため、従来品では、側溝用の本体ブロックを敷設した後に、脚部ブロックを横に置いて位置合わせした後に、さらに、ボルトで連結するという工程が必要であった。これに対し、上記の脚部ブロック３０を用いて側溝２を施工する方法においては、先に敷設された側溝用の本体ブロック１０のインサート２５にボルト２０を取り付け、その後、底板となる脚部ブロック３０を上から降ろすだけでよい。溝部５０にアンカー２０が入れば、本体ブロック１０に対し脚部ブロック３０が上下左右に多少ずれていてもよく、簡単に脚部ブロック３０をセットできる。したがって、土留め側溝２およびＬ型擁壁３の施工が簡単になり、施工期間も短縮できる。
【００３８】
なお、上記では、土留め側溝２を用いて本発明を説明しているが、上記においても説明したように、土留めとしての機能を発揮する本体ブロック１０は壁体単体であってもよい。また、側溝２は門型の可変側溝を例に説明しているが、Ｕ字型の側溝であってもよく、カルバート型の側溝であってもよい。
【符号の説明】
【００３９】
１  擁壁、  ２  側溝、  ３  Ｌ型擁壁
１０  本体ブロック、  １２  側壁（壁体）、  ２０  アンカー（ボルト）
３０  脚部ブロック
５０  溝部
【図１】
0006262172.tif 000002
【図２】
0006262172.tif 000003
【図３】
0006262172.tif 000004
【図４】
0006262172.tif 000005
【図５】
0006262172.tif 000006
【図６】
0006262172.tif 000007
【図７】
0006262172.tif 000008
【図８】
0006262172.tif 000009
【図９】
0006262172.tif 000010